(57)【要約】【課題】  洗濯機用防水パンと洗濯機との間の間隙に幼児等が手足を入れたり、ペット等が入り込むのを防止するためのガードやカバーを、防水パンの設置後においても装着可能等する方法、および、これに使用する防水パン、ガードおよびカバーを提供すること。【解決手段】  四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着する方法であって、当該洗濯機載置台の対向部と、当該ガードまたはカバーの端部の少なくとも一方にマグネットを配置し、マグネットの磁力による係合により、ガードまたはカバーを着脱自在に装着することを特徴とする。【選択図】  図３
2015172281.tif 000002
【特許請求の範囲】
【請求項１】
四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着する方法であって、当該洗濯機載置台の対向部と、当該ガードまたはカバーの端部の両者にマグネットを配置し、両者に配置されたマグネットの磁力による係合により、ガードまたはカバーを着脱自在に装着することを特徴とする方法。
【請求項２】
四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着する方法であって、当該洗濯機載置台の対向部と、当該ガードまたはカバーの端部のいずれか一方にマグネットを配置するとともに他方にマグネットにより吸引される金属片を配置し、当該マグネットと当該金属片の磁力による係合により、ガードまたはカバーを着脱自在に装着することを特徴とする方法。
【請求項３】
四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することができる、防水パンとガードまたはカバーのセットであって、当該洗濯機載置台の対向部と、当該ガードまたはカバーの端部の両者にマグネットを配置し、両者に配置されたマグネットの磁力による係合により、ガードまたはカバーが着脱自在に装着されることを特徴とするセット。
【請求項４】
四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することができる、防水パンとガードまたはカバーのセットであって、当該洗濯機載置台の対向面と、当該ガードまたはカバーの端部のいずれか一方にマグネットを配置するとともに他方にマグネットにより吸引される金属片を配置し、これらマグネットと金属片との磁力による係合により、ガードまたはカバーを着脱自在に装着されることを特徴とするセット。
【請求項５】
四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することが可能な防水パンであって、隣接する洗濯機載置台の対向部にマグネットまたは磁石により吸引される金属片が配置されていることを特徴とする防水パン。
【請求項６】
四周隅部に洗濯機載置台を備える洗濯機用防水パンの隣接する洗濯機載置台の対向面間に形成される空間に、着脱自在に装着することが可能な透光性および透音性を備えたガード、または、遮蔽性を備えたカバーであって、洗濯機設置台との対向部にマグネットまたは磁石により吸引される金属片が配置されていることを特徴とする防水パンのガードまたはカバー。
【発明の詳細な説明】
【技術分野】
【０００１】
本発明は、洗濯機用防水パンのガードおよびカバー、ならびにその装着方法に関するものである。
【背景技術】
【０００２】
防水パンは、洗濯機を安定的に載置するとともに、洗濯機からの漏水の床面への溢水を防止するなどのため、広く使用されている。
【０００３】
洗濯機には、いわゆる縦型洗濯機や回転ドラム式の洗濯機があるが、近時、回転ドラム式の洗濯機の普及が進んでいる。
一般に、回転ドラム式洗濯機は、被洗濯物の投入・取出口が縦型洗濯機より低い位置にあることから、使用者によっては、洗濯物の投入・取出しの際に腰を深くかがめることが必要であり、腰に負担がかかるとの問題が生じる。
このため、洗濯機の載置面を、従来のものより高い位置とした防水パンが販売されている。そのような防水パンとしては、たとえば、［図８］のものをあげることができる。同図の防水パンは、本体１、周縁部２、排水口３、洗濯機載置台４、突条部５等からなり、その洗濯機載置台４の上面の洗濯機載置面４ａは、従来よりも高い位置となるよう構成されている。
このように、洗濯機の載置面を高い位置とすると、防水パンに洗濯機を載置したままで、防水パンの排水口や排水トラップを点検・メンテナンスすることができる、とのメリットも生じる。
【０００４】
しかしながら、防水パンの洗濯機載置面の位置を高くすると、一般に、防水パン本体と洗濯機の底部との間に広い間隙が生じる。
洗濯機と防水パン本体との間に間隙が生じると、幼児等が手足を入れるなどの危険がある。また、ペットの種類によっては、好んで間隙に入り込む習性がある。防水パンの洗濯機載置面を高い位置とすると、このような問題が生じる。
【０００５】
［図９］、［図１０］は、従来の洗濯機用防水パンの他の一例である（特許文献１参照）。［図９］は、その一部分離斜視図であって、防水パンは、本体１１、周縁部１２、排水口１３、洗濯機の載置台（架台）１４、洗濯機載置面１４ａ、突条部１５等から構成されている。当該防水パンは、別体として、防水パン本体の内部への塵埃等の侵入を防止するとともに防水パン本体の内部（特に、排水口まわり）を隠蔽する不透明なカバー１６を備えている。そして、当該防水パンには、カバー１６を取り付けるための嵌合部１８が図示の位置に配置されている。カバー１６の数は、設置場所に応じて１〜３個であってよい。
［図１０］は、［図９］の防水パンにカバー１６を装着し、かつ、洗濯機を載置した状態を示す。［図１０］の状態において、洗濯機と防水パンとの間隙はカバー１６により閉止されており、洗濯機と防水パンとの間隙に基づく上述の危険は防止されている。
【０００６】
しかしながら、上記カバー１６は、嵌合部を有しない［図８］の防水パンに取り付けることはできない。
［図８］のような防水パンが既に設置されている場合、カバー１６により防水パンと洗濯機との間隙を閉止するには、既設の防水パンを［図９］のものと交換することが必要となるが、防水パンの交換には、一般に、排水トラップを取り外したり、排水管の位置を変更するなど、大がかりな工事等を伴うことになる。
【０００７】
また、カバー１６が不透明な素材から構成されている場合には、これを装着した状態において、防水パン本体の排水口まわりの状態を視認することができないとの不都合が生じる。  さらに、洗濯機からの漏水を報知する漏水検知器を防水パンの内部に設置した場合、カバー１６は、当該検知器から発せられる警告光や警告音を遮蔽あるいは減衰し、漏水等が発生した際、迅速な対応を妨げる可能性がある。
【０００８】
上記問題を解決するため、本出願人は、洗濯機を載置する洗濯機載置台をその四周隅部に備える洗濯機用防水パンの対向する洗濯機載置台間に形成される空間を閉止する、透光性および透音性を備えたガードを開発した（特願２０１３−２００３９４号参照）。
［図１１］は、そのようなガードを備える洗濯用防水パンの一例である。［図８］の防水パン２１は、洗濯機載置台２３の洗濯機載置面２３ａが高い位置に構成されており、ガード２２が、隣接する洗濯機載置台２３の対向面の間に着脱自在に装着されている。
ガード２２には、複数の透孔２５が配列され、これにより、透光性および透音性を備える。したがって、ガード２２は、前述の危険を防止すると同時に、防水パン２１の内部に設置した漏洩検知器からの警告光や警告音を遮蔽・減衰せず、漏水等のトラブルに迅速に対応することができる。
【先行技術文献】
【特許文献】
【０００９】
【特許文献１】特開２００７−５６５１１号公報
【発明の概要】
【発明が解決しようとする課題】
【００１０】
上記のとおり、洗濯機載置面の位置を高くした防水パンにおける種々の問題を解決するものとして、不透明なカバーや透光性・透音性を備えるガードが知られている。
これら従来の防水パンにおけるカバーやガードは上記問題の解決に資するものであるが、いずれにおいても、カバーやガードは、防止パン本体と一体として設計され、メカニカルな係合により着脱自在とする構成が採用されている。
たとえば、特許文献１に記載のものは、カバー１６に設けられた突片１７と洗濯機載置面１４ａに設けられた嵌合部１８がメカニカルに係合する構造とされている（［図９］参照）。
このため、従来のカバーやガードは、一体として設計・製造された防水パン以外には装着することができないとの問題がある。また、突片と嵌合部による係合は、突片が欠ける恐れがあるなど、その強度が必ずしも十分ではないなどの課題がある。
【００１１】
本発明は、上記課題を解決するものであって、既存の防水パンに、ガードまたはカバーを着脱自在に装着する方法を提供すること、および、防水パンへの着脱が自在なガードおよびカバーを提供することを目的とする。
【課題を解決するための手段】
【００１２】
上記課題は、洗濯機を載置する洗濯機載置台をその四周隅部に備え、対向する洗濯機載置台の対向面の間に形成される空間をガードまたはカバーにより閉止する洗濯機用防水パンにおいて、ガードまたはカバーを磁力により着脱自在に装着することにより解決することができる。  
すなわち、請求項１にかかる発明は、四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着する方法であって、当該洗濯機載置台の対向部と、当該ガードまたはカバーの端部の両者にマグネットを配置し、両者に配置されたマグネットの磁力による係合により、ガードまたはカバーを着脱自在に装着することを特徴とする。
請求項２に係る発明は、四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着する方法であって、当該洗濯機載置台の対向部と、当該ガードまたはカバーの端部のいずれか一方にマグネットを配置するとともに他方にマグネットにより吸引される金属片を配置し、当該マグネットと当該金属片の磁力による係合により、ガードまたはカバーを着脱自在に装着することを特徴とする。
請求項３に係る発明は、四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することができる、防水パンとガードまたはカバーのセットであって、当該洗濯機載置台の対向部と、当該ガードまたはカバーの端部の両者にマグネットを配置し、両者に配置されたマグネットの磁力による係合により、ガードまたはカバーが着脱自在に装着されることを特徴とするセットを特徴とする。
請求項４に係る発明は、四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することができる、防水パンとガードまたはカバーのセットであって、当該洗濯機載置台の対向部と、当該ガードまたはカバーの端部のいずれか一方にマグネットを配置するとともに他方にマグネットにより吸引される金属片を配置し、これらマグネットと金属片との磁力による係合により、ガードまたはカバーを着脱自在に装着されることを特徴とする。
請求項５に係る発明は、四周隅部に洗濯機載置台を備える洗濯機用防水パンの隣接する洗濯機載置台の対向面間に形成される空間に、透光性および透音性を備えたガード、または、遮蔽性を備えたカバーを着脱自在に装着することが可能な防水パンであって、隣接する洗濯機載置台の対向部にマグネットまたは磁石により吸引される金属片が配置されていることを特徴とする。
請求項６に係る発明は、四周隅部に洗濯機載置台を備える洗濯機用防水パンの隣接する洗濯機載置台の対向面間に形成される空間に、着脱自在に装着することが可能な透光性および透音性を備えたガード、または、遮蔽性を備えたカバーであって、洗濯機設置台との対向部にマグネットまたは磁石により吸引される金属片が配置されていることを特徴とする。  
【発明の効果】
【００１３】
本発明によれば、ガードまたはカバーの装着を想定して設計・製造されていない既存の防水パンに対しても、ガードまたはカバーを着脱自在に装着することができる。
本発明によるガードおよびカバーは、従来のガードまたはカバー付き防水パンと同様に、幼児等が手足を入れる危険を解消し、かつ、ペットが間隙に入り込むことを防止することができる。
また、複数の透孔を配列した透光性・透音性を備えるガードを装着した場合は、装着状態のまま、防水パンの排水口まわりを、外部から容易に視認することが可能であるとともに、漏洩検知器が発する漏水の警告音・警告光が遮蔽・減衰されないので、漏水に迅速に対応することが可能である。
【図面の簡単な説明】
【００１４】
【図１】本発明による装着方法の対象となる防水パンの一例の斜視図。
【図２】本発明による装着方法の対象となるガードの一例の斜視図。
【図３】本発明の第１の実施態様によるガードの部分斜視図。
【図４】本発明の第１の実施態様による防水パンの部分斜視図。
【図５】本発明の第１の実施態様の防水パンにガードを装着した状態を示す斜視図。
【図６】図６ａは、本発明の第２の実施態様によるガードの部分斜視図。図６ｂは本発明の第２の実施態様によるガードの部分斜視図。
【図７】本発明の第３の実施態様による防水パンとガードの断面図。
【図８】従来の防水パンの斜視図。
【図９】従来のカバー付き防水パンの斜視図。
【図１０】従来のカバー付き防水パンに洗濯機を載置した状態の斜視図。
【図１１】従来のガード付き防水パンの部分斜視図。
【発明を実施するための形態】
【００１５】
以下、本発明の実施形態について、必要に応じて図面を参照しつつ説明する。
［図１］は、本発明によるガードまたはカバーの装着方法の対象となりうる防水パン一例を示す。
同図において、防水パン３１は、その四周隅部に洗濯機載置台３２を備えており、洗濯機載置台３２の対向面３２ｂ（隣接する載置台の側面と対向する面）の間の防水パン底面に排水口３３を備えている。
［図２］は、［図１］の防水パンに装着するガードの一例である。同図において、ガード４１は、複数の透孔４２と、枠体４３を備えている。透孔４２は、逆Ｌ字形の形状をした複数の格子片４４の間に形成される空間である。
［図1］の防水パン３１と［図２］のガード４１は、嵌合部や突片などのメカニカルな係合手段を備えていないので、このままでは［図1］の防水パンに［図２］のガードを着脱自在に装着することはできない。
【００１６】
［図３］ないし［図５］は、本発明の第１の実施形態を示す。
本実施形態では、ガード４１（たとえば、［図２］のもの）の側面にマグネット４５が固着される。マグネットの形状は任意であるが、たとえば、直方体のマグネット４５が、図３のように、ガードの枠体４３の下部面および格子片４４の側面の両者に固着される。これは例示であり、マグネット４５は、ガードの枠体４３の下部面と格子片４４の側面の少なくとも一方に固着されていればよい。マグネット４５の固着は、接着や両面粘着テープ、面ファスナーなどの適宜の手段により行うことができる。
【００１７】
［図４］は、ガード４１と組み合わせて使用される防水パン３１（たとえば、［図１］のもの）の四周隅部の洗濯機載置台３２の部分図を示す。同図において、洗濯機載置台３２の対向面３３に、マグネット３４が固着されている。マグネット３４の形状サイズ等は任意であるが、ガード４１のマグネット４５と対応する位置、サイズであることが望ましい。
ガード４１を装着した状態で、ガード４１のマグネット４５と防水パン３１のマグネット３４とが、両者の垂直方向の面同士で対応する場合には、両者の対応面の間隙は小さいほど望ましく、その間隔がほぼゼロである（すなわち、両者がほぼ面接触している）のが、より好ましい。マグネット４５および３４の接触面を垂直方向とせず、着脱が容易となるよう傾斜させることも好ましい。
防水パン３１のマグネット３４として、その厚みがやや大きいものを使用して、ガード４１のマグネット４５と防水パン３１のマグネット３４とが、前者の下部面が後者の上部面と面接触する状態で装着されるように構成するのも、同様に好ましい。
洗濯機載置台３２のマグネット３４は、載置台の対向面３３の表面上に配置することは必ずしも必要ではなく、ガード４１のマグネット４５と対向する部位（対向部）であって、磁力による吸引力を相互に及ぼすことが可能な位置（たとえば、載置台３２の内表面上）に位置するように配置してもよい。
【００１８】
［図５］は、［図４］の防水パン３１に［図３］のガード４１を装着した状態を示す（なお、両者を区別するため、防水パン部分を破線で示した）。
ガード４１は、メカニカルに係合する従来の製品と異なり、磁力により着脱自在に装着される。
【００１９】
［図６ａ］・［図６ｂ］は、本発明の第２の実施形態を示す。
本実施形態では、ガード５１の枠体５２と最外部の格子片５３は、一体として成形され、その側部に［図６ａ］のように孔５４が形成されている。
［図６ｂ］は、孔５４にマグネット５５が挿入・固着された状態を示す。
ガード５１のマグネット５５に対応して、防水パンにマグネットが備えられ（図示せず）、磁力による係合により着脱自在とされる。
マグネット５５は、接着、両面粘着テープ、面ファスナーなど、任意の手段で固着することができる。
【００２０】
［図７］は、本発明の第３の実施形態を示す。本実施形態では、防水パン６１の、２個の洗濯機載置台６２の対向面６２ｂの間に形成される空間にガード６３が着脱自在に装着されており、かつ、その最外部の格子片６４の外表面に、マグネット６５が固着されている。複数個存在する格子片６４のうち、内部に存在するものの一部に、破線で示される支持部６４ａが設けられている。
このような構成とすると、ガード６３の重量は、格子片６４の支持部６４ａによっても支持される結果、マグネット６４は、主として位置決めの機能を担うことになる。
この実施形態においても、マグネット６５は、格子片６３の外表面上に配置することは必ずしも必要ではなく、洗濯機載置台６２の対向部に存在するマグネット（図示せず）との間で磁気的吸引力を相互に及ぼし、ガードの位置決めが実質的に可能な部位に配置すれば足りる。
【００２１】
本発明の実施形態は、種々の態様に変更が可能である。
たとえば、［図３］ないし［図５］の実施形態においては、ガード４１、防水パン３１の双方にマグネットが固着されている。しかし、当該実施形態において、ガード４１または防水パン３１のいずれか一方がマグネットであれば、他方は、当該マグネットの磁力に吸引される金属片（たとえば、鉄片、ニッケル片など）であってもよい。磁力が強いマグネットを使用すれば、十分な装着強度が達せられる。
［図４］の防水パン３１において、マグネット３４は、洗濯機載置台３２の対向面３３に固着されているが、マグネット３４は、載置台３２の内部の表面に固着されていてもよい。一般に、洗濯機載置台の内部には空間的な余裕があり、したがって、強力な磁石を配置することが可能であるので、マグネット３４が洗濯機載置台３２の対向面３３の内部表面に存在する場合にもガード４１を着脱自在に装着することができる。
【００２２】
第１ないし第３の実施形態においては、マグネットは、防水パンの洗濯機設置台またはガードに、接着剤、両面接着テープ、面ファスナーなどにより固着されている。しかし、マグネットが固着されていることは必ずしも必要ではなく、マグネットは、遊嵌状態であってもよい。たとえば、マグネットを中央部が小径の柱状体から構成し、遊びをもった状態でガードの格子片や洗濯機載置台の対向部に配置してもよい。
【００２３】
ガード部材４１は、透明、半透明、有色透明、不透明などの素材で形成されたものであっても良く、その表面を鍍金あるいは着色したものであってもよい。また、部分的に異なる素材・色彩等とすることもできる。
【００２４】
以上、ガードを着脱自在に装着する形態について説明したが、防水パン本体の内部を遮蔽するためのカバーについても、同様の構成とすることにより、磁力により着脱自在に装着することができる。
【００２５】
本発明の防水パンの本体は、樹脂の一体成形により製造することが好ましい。使用に適する樹脂の例としては、高密度ポリエチレン、ポリプロピレン、硬質ポリ塩化ビニル、ポリアセタール、ＡＢＳ樹脂、ナイロンなどをあげることができる。
【００２６】
ガードおよびカバーは、防水パン本体と同一の素材であっても、異なる素材であってもよい。異なる素材の場合、たとえば、ポリカーボネートやポリアクリルを使用すれば、透明度の高いガード部材とすることができる。プラスチックに代えて、金属や木材等を使用することも可能である。
特に、プラスチックを使用する場合、その優れた成形性を利用して、意匠性に富む図形（抽象図形や動植物の図形など）からなる複数の透孔を配列したり、シンプルな複数のスリット状の透孔を配列したりすることも可能である。
カバーも、ガードと同様の素材で作製することができる。カバーが透明または半透明の素材で構成され、防水パンの内部を遮蔽・隠蔽することが出来ない場合であっても、防水パンと洗濯機との間の空間を閉止する機能は奏される。
【符号の説明】
【００２７】
１      防水パン本体
２      周縁部
３      排水口
４      洗濯機載置台
４ａ    洗濯機載置面
５      突条部
１１    防水パン本体
１２    周縁部
１３    排水口
１４    洗濯機載置台
１４ａ  洗濯機載置面
１５    突条部
１６    カバー
１７    突片
１８    嵌合部
２１    防水パン
２２    ガード
２３    洗濯機載置台
２３ａ  洗濯機載置面
２５    透孔
３１    防水パン本体
３２    洗濯機載置台
３２ａ  洗濯機載置面
３２ｂ  載置台の対向面
３３    排水口
３４    マグネット
４１    ガード
４２    透孔
４３    枠体
４４    格子片
４５    マグネット
５１    ガード
５２    枠体
５３    格子片
５４    孔
５５    マグネット
６１    防水パン本体
６２    洗濯機載置台
６２ａ  洗濯機載置面
６３    ガード
６４    格子片
６４ａ  格子片の支持部
６５    マグネット
【図１】
2015172281.tif 000003
【図２】
2015172281.tif 000004
【図３】
2015172281.tif 000005
【図４】
2015172281.tif 000006
【図５】
2015172281.tif 000007
【図６】
2015172281.tif 000008
【図７】
2015172281.tif 000009
【図８】
2015172281.tif 000010
【図９】
2015172281.tif 000011
【図１０】
2015172281.tif 000012
【図１１】
2015172281.tif 000013